(57)【特許請求の範囲】
【請求項１】
ＵＨＤＴＶ用の映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号の１フレームを複数の前記リンク信号により送信する映像信号送信装置において、
前記映像信号のタイムコードを含む時間情報データパケットを生成する時間情報データパケット生成部と、
前記時間情報データパケット生成部により生成された時間情報データパケットを、前記ベーシックストリームのライン構造における、前記ベーシックイメージから取り出した画素のラインデータよりも時間的に先に伝送される補助データ領域に格納すると共に、前記画素のラインデータを、前記ベーシックストリームのライン構造における有効映像領域に格納し、前記映像信号に前記タイムコードを多重した前記ベーシックストリームを生成するベーシックストリーム生成部と、を備え、
前記時間情報データパケット生成部は、
前記映像信号のフレーム周波数に同期した時刻及びフレーム番号を含む前記タイムコードを生成するタイムコード生成手段と、
前記フレーム番号と、当該フレーム番号に対応する１／３０秒を識別する第１のビットデータ、１／６０秒を識別する第２のビットデータ及び１／１２０秒を識別する第３のビットデータとが対応したテーブルまたは数式を用いて、前記タイムコード生成手段により生成されたタイムコードのフレーム番号に対応する前記第１のビットデータ、前記第２のビットデータ及び前記第３のビットデータを特定し、
前記第１のビットデータ、前記第２のビットデータ、前記第３のビットデータ及び前記タイムコードの時刻を、前記時間情報データパケットの所定領域にそれぞれ格納し、前記時間情報データパケットを生成する時間情報データパケット生成手段と、を備え、
前記ベーシックストリーム生成部は、
前記映像信号の１フレームに対応する前記タイムコードを含む前記時間情報データパケットを、当該映像信号の１フレームに対応する複数の前記リンク信号のうちの１番目に伝送される前記リンク信号において、当該リンク信号に対応する複数系統の前記ベーシックストリームのうちの１番目に伝送される前記ベーシックストリームの前記補助データ領域に格納する、ことを特徴とする映像信号送信装置。
【請求項２】
請求項１に記載の映像信号送信装置において、
前記時間情報データパケット生成部に代わる新たな時間情報データパケット生成部は、
前記時間情報データパケットを含むＨＤ−ＳＤＩ信号を入力し、前記ＨＤ−ＳＤＩ信号から前記時間情報データパケットを抽出する時間情報データパケット抽出手段と、
前記時間情報データパケット抽出手段により抽出された時間情報データパケットにおける１ワードあたりのビット長を、１０ビットから１２ビットに変換し、前記変換後の時間情報データパケットを、前記映像信号のタイムコードを含む時間情報データパケットとして生成する１０／１２ビット変換手段と、を備えたことを特徴とする映像信号送信装置。
【請求項３】
ＵＨＤＴＶ用の映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、前記ベーシックストリームに、前記映像信号のタイムコードを多重し、複数系統の前記ベーシックストリームを合成してリンク信号を生成し、前記映像信号の１フレームを複数の前記リンク信号により送信する映像信号送信方法であって、
前記映像信号のフレーム周波数に同期した時刻及びフレーム番号を含む前記タイムコードを生成する第１のステップと、
前記フレーム番号と、当該フレーム番号に対応する１／３０秒を識別する第１のビットデータ、１／６０秒を識別する第２のビットデータ及び１／１２０秒を識別する第３のビットデータとが対応したテーブルまたは数式を用いて、前記第１のステップにて生成した前記タイムコードのフレーム番号に対応する前記第１のビットデータ、前記第２のビットデータ及び前記第３のビットデータを特定する第２のステップと、
前記第２のステップにて特定した前記第１のビットデータ、前記第２のビットデータ及び前記第３のビットデータ、並びに前記タイムコードの時刻を、時間情報データパケットの所定領域にそれぞれ格納し、前記時間情報データパケットを生成する第３のステップと、
前記第３のステップにて生成した時間情報データパケットを、前記ベーシックストリームのライン構造における、前記ベーシックイメージから取り出した画素のラインデータよりも時間的に先に伝送される補助データ領域に格納すると共に、前記画素のラインデータを、前記ベーシックストリームのライン構造における有効映像領域に格納し、前記映像信号に前記タイムコードを多重した前記ベーシックストリームを生成する第４のステップと、を有し、
前記第４のステップは、
前記映像信号の１フレームに対応する前記タイムコードを含む前記時間情報データパケットを、当該映像信号の１フレームに対応する複数の前記リンク信号のうちの１番目に伝送される前記リンク信号において、当該リンク信号に対応する複数系統の前記ベーシックストリームのうちの１番目に伝送される前記ベーシックストリームの前記補助データ領域に格納する、ことを特徴とする映像信号送信方法。
【発明の詳細な説明】
【技術分野】
【０００１】
本発明は、タイムコードをシリアルデジタルデータとして伝送する映像信号送信装置及び映像信号送信方法に関する。
【背景技術】
【０００２】
従来、ハイビジョン（登録商標）の高精細度ＴＶ（ＨＤＴＶ）方式による放送が行われている。また、ＨＤＴＶの次の世代の放送として、スーパーハイビジョン（ＳＨＶ）に代表される、ハイビジョンを上回る解像度を持つ超高精細度ＴＶ（ＵＨＤＴＶ）方式が広く検討されている（非特許文献１を参照）。このＵＨＤＴＶ方式では、フレーム周波数が最大１２０Ｈｚまで規定されている。
【０００３】
ハイビジョンは、フレーム周波数３０Ｈｚまたは２５Ｈｚ、フィールド周波数６０Ｈｚまたは５０Ｈｚの映像を伝送するシステムであり、スーパーハイビジョンは、最大で画素数７６８０×４３２０、ビット数１２、ＲＧＢ４：４：４伝送、フレーム周波数１２０Ｈｚの映像（ＵＨＤＴＶ用の映像信号）を伝送するシステムである。ＵＨＤＴＶ用の映像信号をシリアルデジタルインタフェースにて伝送するためには、７６８０×４３２０×１２（ビット）×３（ＲＧＢ）×１２０（Ｈｚ）＝１４３Ｇｂｐｓの速度でデータを伝送する必要がある。
【０００４】
このような高速のデータ伝送を行うシステムにおいて、ＴＶスタジオ内の放送機器間での映像信号の伝送を円滑に行う目的で、２４芯のマルチモードファイバ１本を用いて、ＳＨＶを含む超高精細映像を伝送するためのシリアルデジタルインタフェースに関する技術が提案されている（特許文献１を参照）。また、これに関する規格が、ＡＲＩＢにおいて２０１４年３月に策定されている（非特許文献２を参照）。
【０００５】
具体的には、特許文献１及び非特許文献２に記載された映像信号送信装置は、ＳＨＶを含む超高精細映像のソースイメージを分割して複数のサブイメージを生成し、サブイメージ毎に、当該サブイメージを分割して複数のベーシックイメージを生成し、ベーシックイメージ毎に、当該ベーシックイメージから画素のラインデータを順次取り出して対応する系統のベーシックストリームを生成し、複数系統のベーシックストリームを合成してリンク信号を生成し、リンク信号を送信する（詳細については後述する）。
【０００６】
一方、映像信号のフレーム番号を管理するために、フレームの時間情報を符号化した信号であるタイムコードが用いられる。このタイムコードの構造等については、規格で定められている（非特許文献３，４，５を参照）。非特許文献３，４，５に規定するタイムコードは、フレーム周波数６０Ｈｚまでの映像の伝送に適用することができる。
【０００７】
ところで、フレーム周波数６０Ｈｚを超える映像信号を伝送する場合に、映像信号の各フレームを一意に識別するタイムコードを用いる技術が提案されている（特許文献２，３，４を参照）。この技術は、例えばフレーム周波数１２０Ｈｚの映像信号を伝送する際に、フレーム周波数３０Ｈｚに対応した０から２９までの映像信号のフレーム番号のそれぞれに対して、４つのサブフレーム識別子を順番に付与することにより、フレーム周波数１２０Ｈｚに対応した０から１１９までの映像信号のフレーム毎に、タイムコードを割り当てるものである。これにより、映像信号のフレームとタイムコードとの間の時間同期をとることができる。
【先行技術文献】
【特許文献】
【０００８】
【特許文献１】国際公開第２０１４／０３８５９７号
【特許文献２】特開２０１４−１６５６８０号公報
【特許文献３】特開２０１４−１６５６８１号公報
【特許文献４】特開２０１４−１６５６８２号公報
【非特許文献】
【０００９】
【非特許文献１】ＡＲＩＢ  ＳＴＤ−Ｂ５６
【非特許文献２】ＡＲＩＢ  ＳＴＤ−Ｂ５８
【非特許文献３】ＳＭＰＴＥ  １２Ｍ−１
【非特許文献４】ＳＭＰＴＥ  １２Ｍ−２
【非特許文献５】ＡＲＩＢ  ＳＴＤ−Ｂ４
【発明の概要】
【発明が解決しようとする課題】
【００１０】
前述のとおり、非特許文献３，４，５に規定するタイムコードは、フレーム周波数６０Ｈｚまでの映像の伝送に適用できるが、フレーム周波数６０Ｈｚを超える超高精細映像の伝送に適用できない。また、特許文献１及び非特許文献２に記載されたＳＨＶを含む超高精細映像を伝送するためのシリアルデジタルインタフェースについては、タイムコードを映像信号に多重する方式が記載されていない。このため、ＳＨＶを含む超高精細映像を伝送する際に、フレーム周波数１２０Ｈｚに対応したタイムコードを伝送することができない。
【００１１】
このシリアルデジタルインタフェースに特許文献２，３，４の技術を適用することが考えられる。しかし、特許文献１及び非特許文献２に記載されたシリアルデジタルインタフェースを用いた映像信号送信装置において、ＳＨＶを含む超高精細映像のソースイメージからサブイメージを生成し、ベーシックイメージ、ベーシックストリーム、及びリンク信号を生成する一連の処理の中で、具体的にどのようなタイムコードを生成し、具体的にどのように多重すればよいのか、明らかでない。
【００１２】
そこで、本発明は前記課題を解決するためになされたものであり、その目的は、６０Ｈｚを超える映像信号のフレーム周波数に対応したタイムコードを伝送可能な映像信号送信装置及び映像信号送信方法を提供することにある。
【課題を解決するための手段】
【００１３】
前記目的を達成するために、請求項１の映像信号送信装置は、ＵＨＤＴＶ用の映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号の１フレームを複数の前記リンク信号により送信する映像信号送信装置において、前記映像信号のタイムコードを含む時間情報データパケットを生成する時間情報データパケット生成部と、前記時間情報データパケット生成部により生成された時間情報データパケットを、前記ベーシックストリームのライン構造における、前記ベーシックイメージから取り出した画素のラインデータよりも時間的に先に伝送される補助データ領域に格納すると共に、前記画素のラインデータを、前記ベーシックストリームのライン構造における有効映像領域に格納し、前記映像信号に前記タイムコードを多重した前記ベーシックストリームを生成するベーシックストリーム生成部と、を備え、前記時間情報データパケット生成部が、前記映像信号のフレーム周波数に同期した時刻及びフレーム番号を含む前記タイムコードを生成するタイムコード生成手段と、前記フレーム番号と、当該フレーム番号に対応する１／３０秒を識別する第１のビットデータ、１／６０秒を識別する第２のビットデータ及び１／１２０秒を識別する第３のビットデータとが対応したテーブルまたは数式を用いて、前記タイムコード生成手段により生成されたタイムコードのフレーム番号に対応する前記第１のビットデータ、前記第２のビットデータ及び前記第３のビットデータを特定し、前記第１のビットデータ、前記第２のビットデータ、前記第３のビットデータ及び前記タイムコードの時刻を、前記時間情報データパケットの所定領域にそれぞれ格納し、前記時間情報データパケットを生成する時間情報データパケット生成手段と、を備え、前記ベーシックストリーム生成部が、前記映像信号の１フレームに対応する前記タイムコードを含む前記時間情報データパケットを、当該映像信号の１フレームに対応する複数の前記リンク信号のうちの１番目に伝送される前記リンク信号において、当該リンク信号に対応する複数系統の前記ベーシックストリームのうちの１番目に伝送される前記ベーシックストリームの前記補助データ領域に格納する、ことを特徴とする。
【００１４】
また、請求項２の映像信号送信装置は、請求項１に記載の映像信号送信装置において、前記時間情報データパケット生成部に代わる新たな時間情報データパケット生成部は、前記時間情報データパケットを含むＨＤ−ＳＤＩ信号を入力し、前記ＨＤ−ＳＤＩ信号から前記時間情報データパケットを抽出する時間情報データパケット抽出手段と、前記時間情報データパケット抽出手段により抽出された時間情報データパケットにおける１ワードあたりのビット長を、１０ビットから１２ビットに変換し、前記変換後の時間情報データパケットを、前記映像信号のタイムコードを含む時間情報データパケットとして生成する１０／１２ビット変換手段と、を備えたことを特徴とする。
【００２１】
さらに、請求項３の映像信号送信方法は、ＵＨＤＴＶ用の映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、前記ベーシックストリームに、前記映像信号のタイムコードを多重し、複数系統の前記ベーシックストリームを合成してリンク信号を生成し、前記映像信号の１フレームを複数の前記リンク信号により送信する映像信号送信方法であって、前記映像信号のフレーム周波数に同期した時刻及びフレーム番号を含む前記タイムコードを生成する第１のステップと、前記フレーム番号と、当該フレーム番号に対応する１／３０秒を識別する第１のビットデータ、１／６０秒を識別する第２のビットデータ及び１／１２０秒を識別する第３のビットデータとが対応したテーブルまたは数式を用いて、前記第１のステップにて生成した前記タイムコードのフレーム番号に対応する前記第１のビットデータ、前記第２のビットデータ及び前記第３のビットデータを特定する第２のステップと、前記第２のステップにて特定した前記第１のビットデータ、前記第２のビットデータ及び前記第３のビットデータ、並びに前記タイムコードの時刻を、時間情報データパケットの所定領域にそれぞれ格納し、前記時間情報データパケットを生成する第３のステップと、前記第３のステップにて生成した時間情報データパケットを、前記ベーシックストリームのライン構造における、前記ベーシックイメージから取り出した画素のラインデータよりも時間的に先に伝送される補助データ領域に格納すると共に、前記画素のラインデータを、前記ベーシックストリームのライン構造における有効映像領域に格納し、前記映像信号に前記タイムコードを多重した前記ベーシックストリームを生成する第４のステップと、を有し、前記第４のステップが、前記映像信号の１フレームに対応する前記タイムコードを含む前記時間情報データパケットを、当該映像信号の１フレームに対応する複数の前記リンク信号のうちの１番目に伝送される前記リンク信号において、当該リンク信号に対応する複数系統の前記ベーシックストリームのうちの１番目に伝送される前記ベーシックストリームの前記補助データ領域に格納する、ことを特徴とする。
【発明の効果】
【００２５】
以上のように、本発明によれば、６０Ｈｚを超える映像信号のフレーム周波数に対応したタイムコードを伝送することができる。
【図面の簡単な説明】
【００２６】
【図１】本発明の第１の実施形態（実施例１）による映像信号送信装置及び映像信号受信装置を含む映像信号送受信システムの概略を示す全体構成図である。
【図２】本発明の第２の実施形態（実施例２）による映像信号送信装置、映像信号受信装置及びタイムコード送信装置を含む映像信号送受信システムの概略を示す全体構成図である。
【図３】実施例１の映像信号送信装置の構成を示すブロック図である。
【図４】時間情報データパケット生成部の処理を示すフローチャートである。
【図５】（１）は、フレーム周波数１２０Ｈｚの場合におけるテーブルの構成を示す図である。（２）は、フレーム周波数６０Ｈｚの場合におけるテーブルの構成を示す図である。
【図６】補助データパケットの構造を示す図である。
【図７】（１）は、ＡＤＦを除く１０ビット／ワードの時間情報データパケットの構造を示す図である。（２）は、時間情報データパケット生成手段により生成される時間情報データパケットを説明する図である。
【図８】ＵＤＷのビット割り当てを説明する図である。
【図９】ベーシックストリーム生成部の処理を示すフローチャートである。
【図１０】ベーシックストリームのフレーム構造を示す図である。
【図１１】ベーシックストリームのライン構造を示す図である。
【図１２】実施例１の映像信号受信装置の構成を示すブロック図である。
【図１３】時間情報データパケット復元部の処理を示すフローチャートである。
【図１４】実施例２のタイムコード送信装置の構成を示すブロック図である。
【図１５】タイムコード送信装置の処理を示すフローチャートである。
【図１６】ＨＤ−ＳＤＩ信号の構造を示す図である。
【図１７】フレーム周波数１２０Ｈｚの場合のＨＤ−ＳＤＩ信号に対する時間情報データパケットの多重位置を説明する図である。
【図１８】実施例２の映像信号送信装置の構成を示すブロック図である。
【図１９】時間情報データパケット生成部の処理を示すフローチャートである。
【図２０】実施例２の映像信号受信装置の構成を示すブロック図である。
【図２１】時間情報データパケット復元部の処理を示すフローチャートである。
【図２２】ＨＤ−ＳＤＩ信号を受信するタイムコード受信装置の構成を示すブロック図である。
【発明を実施するための形態】
【００２７】
以下、本発明を実施するための形態について図面を用いて詳細に説明する。本発明は、ＳＨＶを含む超高精細映像を伝送するためのシリアルデジタルインタフェースが規定された前記非特許文献２（ＡＲＩＢ  ＳＴＤ−Ｂ５８）の方式において、ベーシックストリームの補助データ領域に、映像信号のフレーム単位で遷移するタイムコード（フレームの時間情報を表すタイムコード）を含む時間情報データパケットを格納することを特徴とする。また、本発明は、映像信号のフレーム単位で遷移するタイムコードを生成し、タイムコードのフレーム番号及び時刻を所定領域にそれぞれ格納し、時間情報データパケットを生成することを特徴とする。これにより、６０Ｈｚを超える映像信号のフレーム周波数に対応したタイムコードを伝送することができる。
【００２８】
図１は、本発明の第１の実施形態（実施例１）による映像信号送信装置及び映像信号受信装置を含む映像信号送受信システムの概略を示す全体構成図である。この映像信号送受信システムは、映像信号送信装置（タイムコード多重装置）１−１及び映像信号受信装置（タイムコード分離装置）２−１を備えて構成される。映像信号送信装置１−１と映像信号受信装置２−１とは、１本のケーブルの伝送路を介して接続される。
【００２９】
映像信号送信装置１−１は、ＵＨＤＴＶ用の映像信号にＵＨＤＴＶ用のタイムコードを多重し、１０．６９２Ｇｂｐｓの所定数のリンク信号（シリアルデータストリーム）を１０Ｇリンク信号として送信する装置である。
【００３０】
映像信号送信装置１−１は、ＵＨＤＴＶ用の映像信号である１以上の色信号コンポーネントからなる動画像の映像信号を入力し、映像信号のフレーム周波数に同期したＵＨＤＴＶ用のタイムコードを生成し、タイムコードを含む時間情報データパケットを生成し、映像信号のベーシックストリームに時間情報データパケットを格納し、１０Ｇリンク信号を生成して映像信号受信装置２−１へ送信する。
【００３１】
映像信号受信装置２−１は、ＵＨＤＴＶ用の映像信号にＵＨＤＴＶ用のタイムコードが多重された１０Ｇリンク信号を受信し、１０Ｇリンク信号からタイムコードを分離（復元）する装置である。
【００３２】
映像信号受信装置２−１は、映像信号送信装置１−１から１０Ｇリンク信号を受信してベーシックストリームを復元し、ベーシックストリームから時間情報データパケットを抽出し、時間情報データパケットからタイムコードを復元する。
【００３３】
図２は、本発明の第２の実施形態（実施例２）による映像信号送信装置、映像信号受信装置及びタイムコード送信装置を含む映像信号送受信システムの概略を示す全体構成図である。この映像信号送受信システムは、映像信号送信装置（タイムコード多重装置）１−２、映像信号受信装置（タイムコード分離装置）２−２及びタイムコード送信装置３を備えて構成される。映像信号送信装置１−２と映像信号受信装置２−２とは、１本のケーブルの伝送路を介して接続され、映像信号送信装置１−２とタイムコード送信装置３との間も同様である。映像信号送信装置１−２及びタイムコード送信装置３により映像信号送信システム４が構成される。
【００３４】
タイムコード送信装置３は、映像信号のフレーム周波数に同期したＵＨＤＴＶ用のタイムコードを生成し、タイムコードを含む時間情報データパケットを生成し、時間情報データパケットをＨＤ−ＳＤＩ信号に格納して映像信号送信装置１−２へ送信する。
【００３５】
映像信号送信装置１−２は、ＵＨＤＴＶ用の映像信号を入力すると共に、タイムコード送信装置３からＨＤ−ＳＤＩ信号を受信し、ＨＤ−ＳＤＩ信号から時間情報データパケットを抽出し、映像信号のベーシックストリームに時間情報データパケットを格納し、１０Ｇリンク信号を生成して映像信号受信装置２−２へ送信する。
【００３６】
映像信号受信装置２−２は、映像信号送信装置１−２から１０Ｇリンク信号を受信してベーシックストリームを復元し、ベーシックストリームから時間情報データパケットを抽出し、時間情報データパケットをＨＤ−ＳＤＩ信号に格納して出力する。
【００３７】
以下、実施例１，２について、映像信号のフレーム周波数６０Ｈｚを１２０Ｈｚに拡張した場合に、フレーム周波数１２０Ｈｚに同期したタイムコードを伝送する例を挙げて説明する。
【００３８】
〔実施例１〕
まず、図１に示した実施例１の映像信号送信装置１−１及び映像信号受信装置２−１について説明する。前述のとおり、映像信号送信装置１−１は、映像信号のフレーム周波数に同期したタイムコードを生成し、映像信号にタイムコードを多重して１０Ｇリンク信号を送信し、映像信号受信装置２−１は、１０Ｇリンク信号からタイムコードを復元する。
【００３９】
（映像信号送信装置１−１）
まず、図１に示した実施例１の映像信号送信装置１−１について詳細に説明する。図３は、映像信号送信装置１−１の構成を示すブロック図である。この映像信号送信装置１−１は、サブイメージ生成部１０、ベーシックイメージ生成部１１、ベーシックストリーム生成部１２、リンク信号生成部１３及び時間情報データパケット生成部１４−１を備えている。
【００４０】
サブイメージ生成部１０は、ＵＨＤＴＶ用の映像信号を入力し、映像信号を構成する色信号コンポーネント毎に、１フレームのソースイメージを分割して複数のサブイメージを生成する。そして、サブイメージ生成部１０は、色信号コンポーネント毎に生成した複数のサブイメージをベーシックイメージ生成部１１に出力する。
【００４１】
ベーシックイメージ生成部１１は、サブイメージ生成部１０により生成された色信号コンポーネント毎の複数のサブイメージを入力し、サブイメージ毎に、当該サブイメージを分割して複数のベーシックイメージを生成する。そして、ベーシックイメージ生成部１１は、生成した複数のベーシックイメージをベーシックストリーム生成部１２に出力する。
【００４２】
時間情報データパケット生成部１４−１は、映像信号のフレーム周波数に同期したタイムコードを生成し、タイムコードを時間情報データパケットの所定領域に格納する。そして、時間情報データパケット生成部１４−１は、時間情報データパケットをベーシックストリーム生成部１２に出力する。時間情報データパケット生成部１４−１の詳細については後述する。
【００４３】
ベーシックストリーム生成部１２は、ベーシックイメージ生成部１１により生成されたベーシックイメージを入力すると共に、時間情報データパケット生成部１４−１により生成された時間情報データパケットを入力する。そして、ベーシックストリーム生成部１２は、ベーシックイメージから画素のラインデータを順次取り出し、取り出した画素のラインデータを、ベーシックストリームの有効映像領域に格納すると共に、入力した時間情報データパケットを、ベーシックストリームの補助データ領域に格納する。
【００４４】
また、ベーシックストリーム生成部１２は、所定の制御データ（タイミング基準、ライン番号等）を所定領域に格納し、ベーシックストリームを生成する。そして、ベーシックストリーム生成部１２は、生成したベーシックストリームをリンク信号生成部１３に出力する。ベーシックストリーム生成部１２の詳細については後述する。
【００４５】
リンク信号生成部１３は、ベーシックストリーム生成部１２により生成されたベーシックストリームを入力し、複数のベーシックストリームに対して多重化処理等を施し、所定伝送速度の１０Ｇリンク信号を生成する。そして、リンク信号生成部１３は、生成した１０Ｇリンク信号を映像信号受信装置２−１へ送信する。
【００４６】
このように、映像信号送信装置１−１は、ベーシックストリーム生成部１２において映像信号とタイムコードとを多重したベーシックストリームを生成し、所定伝送速度の１０Ｇリンク信号をシリアルデータストリームとして、１本のケーブルの伝送路を介して映像信号受信装置２−１へ送信する。
【００４７】
尚、サブイメージ生成部１０、ベーシックイメージ生成部１１、ベーシックストリーム生成部１２及びリンク信号生成部１３の処理の詳細については、映像信号のみを送受信する手法が記載された前記特許文献１及び前記非特許文献２（ＡＲＩＢ  ＳＴＤ−Ｂ５８）を参照されたい。
【００４８】
（時間情報データパケット生成部１４−１）
次に、図３に示した時間情報データパケット生成部１４−１について詳細に説明する。前述のとおり、時間情報データパケット生成部１４−１は、映像信号のフレーム周波数に同期したタイムコードを生成し、タイムコードを時間情報データパケットの所定領域に格納し、時間情報データパケットを生成する。図３に示すように、この時間情報データパケット生成部１４−１は、タイムコード生成手段１５、時間情報データパケット生成手段１６及びテーブル１７を備えている。
【００４９】
図４は、時間情報データパケット生成部１４−１の処理を示すフローチャートである。まず、時間情報データパケット生成部１４−１のタイムコード生成手段１５は、当該映像信号送信装置１−１の内部時計を用いて、映像信号のフレーム周波数に同期した時刻（時、分及び秒）及び映像信号のフレーム番号を生成し、時刻及びフレーム番号を含む時間情報のタイムコードを生成する（ステップＳ４０１）。そして、タイムコード生成手段１５は、生成したタイムコードを時間情報データパケット生成手段１６に出力する。
【００５０】
例えば、映像信号のフレーム周波数が１２０Ｈｚの場合、当該映像信号送信装置１−１は、１秒毎に１２０枚のフレームの映像信号を入力することから、タイムコード生成手段１５は、フレーム周波数１２０Ｈｚのフレームの映像信号に対応して、フレーム周波数１２０Ｈｚに同期した時刻を生成すると共に、１秒毎に０〜１１９のフレーム番号を生成する。また、映像信号のフレーム周波数が６０Ｈｚの場合、当該映像信号送信装置１−１は、１秒毎に６０枚のフレームの映像信号を入力することから、タイムコード生成手段１５は、フレーム周波数６０Ｈｚのフレームの映像信号に対応して、フレーム周波数６０Ｈｚに同期した時刻を生成すると共に、１秒毎に０〜５９のフレーム番号を生成する。
【００５１】
尚、映像信号のフレーム周波数は、入力する映像信号のペイロードＩＤに基づいて設定される。
【００５２】
時間情報データパケット生成手段１６は、タイムコード生成手段１５からタイムコードを入力し、タイムコードからフレーム番号を抽出し、テーブル１７から、フレーム番号に対応するビットデータを読み出す（ステップＳ４０２）。これにより、フレーム番号に対応するビットデータが特定される。
【００５３】
図５は、テーブル１７の構成を示す図である。このテーブル１７は、フレーム番号、フレームラベル（ＵＤＷ１のｂ４〜ｂ７及びＵＤＷ３のｂ４，ｂ５）、ＵＤＷ３のｂ７、ＵＤＷ７のｂ７及びＤＢＢ１のビットデータにより構成される。フレームラベルは、３０個のフレーム番号を表すためのデータであり、後述する時間情報データパケットにおけるＵＤＷ１のｂ４〜ｂ７及びＵＤＷ３のｂ４，ｂ５のデータにて表される。フレームラベルを表すＵＤＷ１のｂ４〜ｂ７は、３０個のフレーム番号である０〜２９における１の桁を表し、フレームラベルを表すＵＤＷ３のｂ４，ｂ５は、０〜２９における１０の桁を表す。ＵＤＷは、後述する時間情報データパケットにおけるユーザデータワード（User Data Words）の領域を示し、ｂはそのビット番号を示す。ＤＢＢ１は、後述する時間情報データパケットにおける割り当てバイナリビット（Distributed Binary Bits）の領域を示す。つまり、ＵＤＷ３のｂ７は、３番目のＵＤＷの領域における７番目のビットのデータであり、ＵＤＷ７のｂ７は、７番目のＵＤＷの領域における７番目のビットのデータである。
【００５４】
図５（１）は、フレーム周波数１２０Ｈｚの場合におけるテーブル１７の構成を示す。このテーブル１７には、１秒毎の１２０枚のフレームにおけるそれぞれのフレーム番号０，１，２，３，４，・・・，１１９に対応して、フレームラベル、ＵＤＷ３のｂ７、ＵＤＷ７のｂ７及びＤＢＢ１が定義されている。例えば、フレーム番号０に対応して、フレームラベル＝０、ＵＤＷ３のｂ７＝０、ＵＤＷ７のｂ７＝０、及びＤＢＢ１＝０００００００１の各データが定義されている。また、フレーム番号１に対応して、フレームラベル＝０、ＵＤＷ３のｂ７＝１、ＵＤＷ７のｂ７＝０、及びＤＢＢ１＝０００００００１の各データが定義されている。
【００５５】
フレームラベルは、フレーム周波数３０Ｈｚである１秒毎に３０フレームのフレーム番号に対応したデータを表すために、連続する４個のフレーム番号（０〜３，４〜７，・・・，１１６〜１１９）毎に、０〜２９が定義されている。したがって、フレームラベルは、１／３０秒を識別するための情報として用いられる。
【００５６】
ＵＤＷ３のｂ７は、フレーム周波数１２０Ｈｚである１秒毎に１２０フレームのフレーム番号に対応したデータを表すために、フレーム番号毎に、０，１が順番に定義されている。したがって、ＵＤＷ３のｂ７は、１／１２０秒を識別するためのフラグとして用いられる。
【００５７】
ＵＤＷ７のｂ７は、フレーム周波数６０Ｈｚである１秒毎に６０フレームのフレーム番号に対応したデータを表すために、連続する２個のフレーム番号（０及び１，２及び３，４及び５，・・・，１１６及び１１７，１１８及び１１９）毎に、０，１が順番に定義されている。したがって、ＵＤＷ７のｂ７は、１／６０秒を識別するためのフラグとして用いられる。
【００５８】
ＤＢＢ１は、ＵＤＷ７のｂ７と同様に、フレーム周波数６０Ｈｚである１秒毎に６０フレームのフレーム番号に対応したデータを表すために、連続する２個のフレーム番号毎に、０００００００１，００００００１０が順番に定義されている。したがって、ＤＢＢ１は、１／６０秒を識別するための情報として用いられる。
【００５９】
このように、図５（１）のテーブル１７には、フレーム番号０，１，２，３，４，・・・，１１９に対応して、これらのフレーム番号を識別するためのフレームラベル、ＵＤＷ３のｂ７、ＵＤＷ７のｂ７及びＤＢＢ１が定義されている。フレーム周波数１２０Ｈｚのフレーム番号０，１，２，３，４，・・・，１１９は、フレームラベル、ＵＤＷ３のｂ７及びＵＤＷ７のｂ７により、または、フレームラベル、ＵＤＷ３のｂ７及びＤＢＢ１により特定することができる。
【００６０】
図５（２）は、フレーム周波数６０Ｈｚの場合におけるテーブル１７の構成を示す。このテーブル１７には、１秒毎の６０枚のフレームにおけるそれぞれのフレーム番号０，１，２，３，４，・・・，５９に対応して、フレームラベル、ＵＤＷ３のｂ７、ＵＤＷ７のｂ７及びＤＢＢ１が定義されている。例えば、フレーム番号０に対応して、フレームラベル＝０、ＵＤＷ３のｂ７＝０、ＵＤＷ７のｂ７＝０、及びＤＢＢ１＝０００００００１の各データが定義されている。また、フレーム番号１に対応して、フレームラベル＝０、ＵＤＷ３のｂ７＝０、ＵＤＷ７のｂ７＝１、及びＤＢＢ１＝００００００１０の各データが定義されている。
【００６１】
フレームラベルは、図５（１）と同様である。ＵＤＷ３のｂ７は、フレーム周波数１２０Ｈｚである１秒毎に１２０フレームのフレーム番号に対応したデータを表すために用いられるから、フレーム周波数６０Ｈｚの場合は使用しない。したがって、ＵＤＷ３のｂ７には、全てのフレーム番号に対応して、０が定義されている。
【００６２】
ＵＤＷ７のｂ７は、フレーム周波数６０Ｈｚである１秒毎に６０フレームのフレーム番号に対応したデータを表すために、フレーム番号毎に、０，１が順番に定義されている。したがって、ＵＤＷ７のｂ７は、１／６０秒を識別するためのフラグとして用いられる。
【００６３】
ＤＢＢ１は、ＵＤＷ７のｂ７と同様に、フレーム周波数６０Ｈｚである１秒毎に６０フレームのフレーム番号に対応したデータを表すために、フレーム番号毎に、０００００００１，００００００１０が順番に定義されている。したがって、ＤＢＢ１は、１／６０秒を識別するためのフラグとして用いられる。
【００６４】
このように、図５（２）のテーブル１７には、フレーム番号０，１，２，３，４，・・・，５９に対応して、これらのフレーム番号を識別するためのフレームラベル、ＵＤＷ３のｂ７、ＵＤＷ７のｂ７及びＤＢＢ１が定義されている。フレーム周波数６０Ｈｚのフレーム番号０，１，２，３，４，・・・，５９は、フレームラベル及びＵＤＷ７のｂ７により、または、フレームラベル及びＤＢＢ１により特定することができる。
【００６５】
尚、前記非特許文献４（ＳＭＰＴＥ  １２Ｍ−２）の規格には、後述する時間情報データパケットにおいて、ＵＤＷ１のｂ４〜ｂ７及びＵＤＷ３のｂ４，ｂ５により表されるフレームラベルが１／３０秒を識別するために用いられ、ＵＤＷ７のｂ７及びＤＢＢ１が１／６０秒を識別するために用いられる点が記載されている。
【００６６】
図４に戻って、時間情報データパケット生成手段１６は、ステップＳ４０２において、図５（１）（２）に示したテーブル１７から、フレーム番号に対応するフレームラベル、ＵＤＷ３のｂ７、ＵＤＷ７のｂ７及びＤＢＢ１のビットデータを読み出す。
【００６７】
時間情報データパケット生成手段１６は、テーブル１７から読み出したフレームラベル、ＵＤＷ３のｂ７、ＵＤＷ７のｂ７及びＤＢＢ１のビットデータを、時間情報データパケットにおけるフレームラベルを表すＵＤＷ１のｂ４〜ｂ７及びＵＤＷ３のｂ４，ｂ５、並びに、ＵＤＷ３のｂ７、ＵＤＷ７のｂ７及びＤＢＢ１の各領域に格納する（ステップＳ４０３）。
【００６８】
時間情報データパケット生成手段１６は、タイムコードから時刻を抽出し、時刻を所定のＵＤＷの領域に格納する（ステップＳ４０４）。このように、時間情報データパケット生成手段１６は、ステップＳ４０３及びステップＳ４０４の処理等にて、ＵＤＷの領域等に各種データを格納することで、時間情報データパケットを生成し（ステップＳ４０５）、時間情報データパケットをベーシックストリーム生成部１２に出力する（ステップＳ４０６）。
【００６９】
（補助データパケット）
図６は、補助データパケットの構成を示す図である。この補助データパケットは、後述する図１０及び図１１に示すベーシックストリームの補助データ領域に格納可能なパケットとして、前記非特許文献２（ＡＲＩＢ  ＳＴＤ−Ｂ５８）に規定されている。時間情報データパケット生成手段１６により生成される時間情報データパケットは、この補助データパケットの構成に従って生成される。
【００７０】
補助データパケットは、ＡＤＦ（補助データフラグ）、ＤＩＤ（データ識別ワード）、ＤＢＮ（データブロック番号ワード）またはＳＤＩＤ（第２データ識別ワード）、ＤＣ（データカウントワード）、ＵＤＷ（ユーザデータワード）及びＣＳ（チェックサム）により構成される。
【００７１】
ＡＤＦ領域には、補助データパケットの先頭を示す固定のデータが格納される。ＤＩＤ領域には、パケットの種類を示す識別情報が格納される。時間情報データパケットの場合、後述する図７（１）に示すように、ＤＩＤ領域には、当該パケットであることを示す識別情報（２６０ｈ）が格納される。また、ＳＤＩＤ領域には、当該パケットであることを示す第２の識別情報（２６０ｈ）が格納され、ＤＣ領域には、固定のデータカウント（１１０ｈ）が格納される。尚、ＤＩＤ領域、ＳＤＩＤ領域及びＤＣ領域は１０ビット長であり、下位８ビットにデータ（ＤＩＤ領域及びＳＤＩＤ領域の場合６０ｈ、ＤＣ領域の場合１０ｈ）が格納され、上位２ビットにパリティデータが格納される。パリティデータは、ＤＩＤ領域及びＳＤＩＤ領域の場合２ｈ、ＤＣ領域の場合１ｈである。
【００７２】
ＨＤＴＶ用のインタフェースは、１０ビット／ワードで規定されるのに対し、ＵＨＤＴＶ用のインタフェースは、１２ビット／ワードで規定される。この補助データパケットは、ＵＨＤＴＶ用のパケットであり、ＨＤＴＶ用の１０ビット／ワードの補助データパケットを前提とした構造となっている。
【００７３】
（時間情報データパケット）
図７（１）は、ＡＤＦを除く１０ビット／ワードの時間情報データパケットの構造を示す図であり、図７（２）は、時間情報データパケット生成手段１６により生成される時間情報データパケットを説明する図である。図７（２）に示すように、この時間情報データパケットは、３ワード長のＡＤＦ、１ワード長のＤＩＤ、１ワード長のＳＤＩＤ、１ワード長のＤＣ、１６ワード長のＵＤＷ、及び１ワード長のＣＳにより構成される。
【００７４】
図７（１）に示すＡＤＦを除く１０ビット／ワードの時間情報データパケットは、前記非特許文献４（ＳＭＰＴＥ  １２Ｍ−２）に規定されている。時間情報データパケットのＵＤＷの領域には、ＤＢＢ１、ＤＢＢ２、ＵＤＷペイロード（タイムコードデータ）及びパリティ等の各データにより構成される。
【００７５】
１〜８番目（ワード目）のＵＤＷの領域において、０，１ビット目の領域（ｂ０，ｂ１）には、０が格納され、ｂ２にも０が格納され、ｂ３にはＤＢＢ１が格納される。９〜１６番目（ワード目）のＵＤＷの領域において、０，１ビット目の領域（ｂ０，ｂ１）には、０が格納され、ｂ２には０が格納され、ｂ３にはＤＢＢ２が格納される。また、１〜１６番目（ワード目）のＵＤＷの領域において、ｂ４〜ｂ７には、後述する図８に示すように、ＵＤＷペイロードであるタイムコードデータが格納される。さらに、１〜１６番目（ワード目）のＵＤＷの領域において、ｂ８には、同じワード領域におけるｂ０〜ｂ７の偶数パリティが格納され、ｂ９には、ｂ８を反転させたパリティが格納される。ＤＩＤ領域、ＳＤＩＤ領域及びＤＣ領域のｂ８，ｂ９についても同様である。
【００７６】
図８は、図７（１）に示した時間情報データパケットにおけるＵＤＷペイロード（タイムコードデータ）のビット割り当てを説明する図であり、前記非特許文献４（ＳＭＰＴＥ  １２Ｍ−２）の規定に準じたものである。時間情報データパケットは、前述のとおり、フレーム周波数１２０Ｈｚのフレームに対応して、１秒毎に１２０個の固有のタイムコードを割り当てることができる構成とする必要がある。そこで、前述のとおり、固有のタイムコードを、フレームラベルを表すＵＤＷ１のｂ４〜ｂ７及びＵＤＷ３のｂ４，ｂ５、並びにＵＤＷ３のｂ７及びＵＤＷ７のｂ７の各領域を用いて表す。
【００７７】
フレームラベルを表すＵＤＷ１のｂ４〜ｂ７及びＵＤＷ３のｂ４，ｂ５は、０〜２９を表すＶＩＴＣのデータが格納され、１／３０秒を識別するための情報として用いられる。ＵＤＷ３のｂ７は、フレーム周波数１２０Ｈｚを識別するためのフラグとして用いられ、ＵＤＷ７のｂ７は、フレーム周波数６０Ｈｚを識別するためのフラグとして用いられる。その他のＵＤＷの領域には、前記非特許文献４（ＳＭＰＴＥ  １２Ｍ−２）の規定に従い、時刻等の各種情報が格納される。
【００７８】
このように、図７及び図８に示した時間情報データパケットは、フレーム周波数６０Ｈｚの映像フォーマットで使用しているパケット構造を維持しながら、１フレームの時間をさらに２分割するためのフラグ（ＵＤＷ３のｂ７）を用意することで、６０Ｈｚの倍のフレーム周波数、すなわち１２０Ｈｚのフレーム周波数に対応することができる。
【００７９】
また、この時間情報データパケットの構造は、フレーム周波数６０Ｈｚ以下のフレームの場合と互換性があるから、現行のフレーム周波数６０Ｈｚ以下の映像信号を対象とする映像信号送受信システムを前提にして、フレーム周波数６０Ｈｚを超える映像信号を対象とする映像信号送受信システムを容易に実現することができる。例えば、後述するベーシックストリーム生成部１２は、フレーム周波数１２０Ｈｚに対応した時間情報データパケットを、フレーム周波数１２０Ｈｚの映像信号であるベーシックストリームに多重した場合、これをフレーム周波数６０Ｈｚの映像信号に変換するには、時間情報データパケットのＵＤＷ３の７ビット目に０または１が格納された時間情報データパケットを検出し、これに対応するベーシックストリームのみを抽出すればよい。
【００８０】
図４に戻って、時間情報データパケット生成手段１６は、ステップＳ４０５において、ＵＤＷの領域等に各種データを格納することで、図７及び図８に示した時間情報データパケットを生成する。尚、時間情報データパケット生成手段１６は、時間情報データパケットを生成する際に、図６に示したとおり、１ワードにつき２ビットを付加し、１ワードあたりのビット長を１０ビットから１２ビットに拡張する。
【００８１】
このように、時間情報データパケット生成部１４−１により、映像信号のフレーム周波数に同期したタイムコード（時刻及びフレーム番号）が生成され、タイムコードのフレーム番号が、時間情報データパケットの所定領域（ＵＤＷ１のｂ４〜ｂ７及びＵＤＷ３のｂ４，ｂ５、並びに、ＵＤＷ３のｂ７、ＵＤＷ７のｂ７及びＤＢＢ１）に格納され、タイムコードの時刻が、時間情報データパケットの所定領域に格納される。これにより、タイムコードを含む時間情報データパケットが生成される。
【００８２】
（ベーシックストリーム生成部１２）
次に、図３に示したベーシックストリーム生成部１２について詳細に説明する。前述のとおり、ベーシックストリーム生成部１２は、ベーシックイメージ生成部１１により生成されたベーシックイメージに含まれる画素のラインデータ等を、ベーシックストリームの有効映像領域等に格納すると共に、時間情報データパケット生成部１４−１により生成された時間情報データパケットを、ベーシックストリームの補助データ領域に格納する。これにより、タイムコードが映像信号に多重される。
【００８３】
図１０は、ベーシックストリームのフレーム構造を示す図であり、図１１は、ベーシックストリームのライン構造を示す図である。尚、図１０及び図１１に示すベーシックストリームのフレーム構造及びライン構造は、前記非特許文献２（ＡＲＩＢ  ＳＴＤ−Ｂ５８）に規定されている。
【００８４】
図１０に示すベーシックストリームのフレームは、図１１に示すベーシックストリームのラインを複数（１１２５ライン（ライン番号１〜１１２５））組み合わせることにより構成される。ベーシックストリーム生成部１２は、ベーシックイメージを用いてベーシックストリームを生成する際に、必要なタイミング基準及びライン番号等の制御データを格納する領域と共に、補助データ領域を付加する。映像信号は、ベーシックイメージから取り出された画素のラインデータとして、有効映像領域（有効ライン）に格納され、時間情報データパケットは、補助データが格納される領域（補助データ領域）に格納される。ＥＡＶ等の制御データは既知であるから、ここでは説明を省略する。
【００８５】
ここで、図７（２）に示した時間情報データパケットは、例えば、１番目の１０Ｇリンク信号における１番目のベーシックストリームであって、図１０に示したベーシックストリームのフレーム構造内の補助データ領域（ライン番号１〜１１２５のうちのサンプル番号１９２８〜２１９５）のうち、図１０の斜め線に示した領域内のライン番号９のうちのサンプル番号１９２８〜１９５０の領域（２３ワード長の領域）に格納される。時間情報データパケットは、図７（２）に示したとおり、２３ワード長のパケットである。
【００８６】
尚、１フレームの映像信号は、当該映像信号送信装置１−１から複数の１０Ｇリンク信号として送信され、１本の１０Ｇリンク信号は、複数のベーシックストリームにより構成される。つまり、時間情報データパケットは、１フレームの映像信号に対応する複数の１０Ｇリンク信号のうちの１番目に送信される１０Ｇリンク信号に多重される。また、時間情報データパケットは、１番目の１０Ｇリンク信号において、当該１０Ｇリンク信号を構成する複数のベーシックストリームのうちの１番目に送信されるベーシックストリームに多重される。
【００８７】
図９は、ベーシックストリーム生成部１２の処理を示すフローチャートである。まず、ベーシックストリーム生成部１２は、ベーシックイメージ生成部１１からベーシックイメージを入力すると共に（ステップＳ９０１）、時間情報データパケット生成部１４−１から時間情報データパケットを入力する（ステップＳ９０２）。
【００８８】
ベーシックストリーム生成部１２は、ベーシックイメージから画素のラインデータを取り出し、ベーシックストリームのライン構造の有効ライン（有効映像領域）に格納する（ステップＳ９０３）。ベーシックストリーム生成部１２は、この処理をラインデータ毎に行う。これにより、ベーシックイメージの全ての画素は、ベーシックストリームのフレーム構造の有効映像領域に格納される。
【００８９】
また、ベーシックストリーム生成部１２は、１番目の１０Ｇリンク信号における１番目のベーシックストリームを作成する際に、時間情報データパケットを、ベーシックストリームのライン構造の補助データ領域（ライン番号９のうちのサンプル番号１９２８〜１９５０の２３ワード長の領域）に格納する（ステップＳ９０４）。また、ベーシックストリーム生成部１２は、ＥＡＶ等の制御データを所定領域に格納し（ステップＳ９０５）、ベーシックストリームを生成する（ステップＳ９０６）。
【００９０】
この場合、ベーシックストリーム生成部１２は、ベーシックストリームのフレームを構成する際に、時間情報データパケットを補助データ領域に格納した後に、当該時間情報データパケットに対応するフレームのベーシックイメージから取り出した画素のラインデータを有効映像領域に格納する。つまり、ベーシックストリームのフレーム構造において、時間情報データパケットは、ベーシックイメージから取り出した画素のラインデータよりも時間的に先に伝送されるライン番号に対応した領域に格納される。
【００９１】
ここで、タイムコードは、図３に示したタイムコード生成手段１５により、映像信号のフレーム周波数に同期して生成されるから、時間情報データパケットも、図３に示した時間情報データパケット生成手段１６により、映像信号のフレーム周波数に同期して生成される。このため、ベーシックストリーム生成部１２において、ベーシックストリームの有効映像領域に格納される画素のラインデータに対応するフレームと、ベーシックストリームの補助データ領域に格納される時間情報データパケットとは、必然的に同期することになる。したがって、ベーシックストリーム生成部１２は、時間情報データパケットを、ベーシックイメージから取り出した画素のラインデータよりも時間的に先に伝送されるライン番号に対応した補助データ領域に格納することができる。
【００９２】
図９に戻って、ベーシックストリーム生成部１２は、生成したベーシックストリームをリンク信号生成部１３に出力する（ステップＳ９０７）。
【００９３】
このように、ベーシックストリーム生成部１２により、ベーシックストリームの補助データ領域に、映像信号のフレーム単位で遷移するタイムコードが多重される。
【００９４】
以上のように、実施例１の映像信号送信装置１−１によれば、時間情報データパケット生成部１４−１のタイムコード生成手段１５は、当該映像信号送信装置１−１の内部時計を用いて、映像信号のフレーム周波数に同期した時刻及びフレーム番号を含むタイムコードを生成するようにした。そして、時間情報データパケット生成手段１６は、テーブル１７から、タイムコードのフレーム番号に対応するビットデータ（フレームラベル、ＵＤＷ３のｂ７、ＵＤＷ７のｂ７及びＤＢＢ１のビットデータ）を読み出し、これらのビットデータを、時間情報データパケットの所定領域に格納すると共に、タイムコードの時刻を所定領域に格納することで、時間情報データパケットを生成する。
【００９５】
ベーシックストリーム生成部１２は、１番目の１０Ｇリンク信号における１番目のベーシックストリームを作成する際に、時間情報データパケットを、ベーシックストリームのライン構造の補助データ領域（ライン番号９のうちのサンプル番号１９２８〜１９５０の２３ワード長の領域）に格納するようにした。
【００９６】
これにより、映像信号のフレーム単位で遷移するタイムコードは、ベーシックストリームの補助データ領域に多重される。つまり、ＳＨＶを含む超高精細映像を伝送するための所定のシリアルデジタルインタフェースを用いる際に、１本のシリアルデジタルインタフェースにより、映像信号だけでなく、６０Ｈｚを超える映像信号のフレーム周波数に対応したタイムコードを同時に送信することができる。その結果、映像信号のフレーム単位で遷移するタイムコードを送受信することができ、放送設備同士で映像信号を送受信する場合、映像信号を記録装置に記録する場合、編集機を用いて映像を編集する場合等において、利便性が向上する。
【００９７】
また、時間情報データパケットは、１番目の１０Ｇリンク信号における１番目のベーシックストリームにおいて、ライン構造の所定の補助データ領域に格納するようにした。これにより、１０Ｇリンク信号を受信する後述する映像信号受信装置２−１は、当該１０Ｇリンク信号及び当該ベーシックストリームのみから時間情報データパケットを抽出すればよいから、簡易な処理で済み、当該映像信号受信装置２−１のハードウェア構成を簡略化できる。
【００９８】
また、時間情報データパケットは、フレーム周波数１２０Ｈｚの場合に加え、フレーム周波数６０Ｈｚの場合にも適用があるから、ＵＨＤＴＶ用の映像信号のタイムコードを伝送する際に、両フレーム周波数に対して互換性のあるパケットとして用いることができる。例えば、フレーム周波数１２０Ｈｚの映像信号のタイムコードが、時間情報データパケットに格納されて伝送される場合、フレーム周波数６０Ｈｚのタイミングで時間情報データパケットを抽出することにより、フレーム周波数１２０Ｈｚに対応した時間情報データパケットからフレーム周波数６０Ｈｚに対応した時間情報データパケットを抽出することができる。後述する映像信号受信装置２−１及び実施例２についても同様である。
【００９９】
（映像信号受信装置２−１）
次に、図１に示した実施例１の映像信号受信装置２−１について詳細に説明する。図１２は、映像信号受信装置２−１の構成を示すブロック図である。この映像信号受信装置２−１は、ベーシックストリーム復元部２０、ベーシックイメージ復元部２１、サブイメージ復元部２２、ソースイメージ復元部２３及び時間情報データパケット復元部２４−１を備えている。
【０１００】
ベーシックストリーム復元部２０は、映像信号送信装置１−２から１０Ｇリンク信号を入力し、図３に示したリンク信号生成部１３の逆の処理により、１０Ｇリンク信号に対して復号処理等を施し、１本の１０Ｇリンク信号につき所定数のベーシックストリームを復元する。そして、ベーシックストリーム復元部２０は、復元したベーシックストリームをベーシックイメージ復元部２１及び時間情報データパケット復元部２４−１に出力する。
【０１０１】
ベーシックイメージ復元部２１は、ベーシックストリーム復元部２０により復元されたベーシックストリームを入力し、図３に示したベーシックストリーム生成部１２の逆の処理により、ベーシックストリームの有効映像領域から映像信号のデータである画素のラインデータを抽出し、抽出した画素のラインデータを所定の順序で配列してベーシックイメージを復元する。そして、ベーシックイメージ復元部２１は、復元したベーシックイメージをサブイメージ復元部２２に出力する。
【０１０２】
サブイメージ復元部２２は、ベーシックイメージ復元部２１により復元されたベーシックイメージを入力し、図３に示したベーシックイメージ生成部１１の逆の処理により、複数のベーシックイメージを所定の順序で合成し、サブイメージを復元する。そして、サブイメージ復元部２２は、復元したサブイメージをソースイメージ復元部２３に出力する。
【０１０３】
ソースイメージ復元部２３は、サブイメージ復元部２２により復元されたサブイメージを入力し、図３に示したサブイメージ生成部１０の逆の処理により、複数のサブイメージを、所定の順序で合成し、ソースイメージを復元する。これにより、色信号コンポーネント毎のソースイメージが復元される。そして、ソースイメージ復元部２３は、復元した色信号コンポーネント毎のソースイメージを、元の映像信号として出力する。
【０１０４】
時間情報データパケット復元部２４−１は、ベーシックストリーム復元部２０により復元されたベーシックストリームを入力し、ベーシックストリームの補助データ領域から時間情報データパケットを抽出し、時間情報データパケットの所定領域からタイムコードを抽出する。これにより、タイムコードが復元される。時間情報データパケット復元部２４−１の詳細については後述する。
【０１０５】
このように、映像信号受信装置２−１により、受信した１０Ｇリンク信号から、複数の色信号コンポーネントからなる動画像の映像信号及びタイムコードが復元される。
【０１０６】
尚、ベーシックストリーム復元部２０、ベーシックイメージ復元部２１、サブイメージ復元部２２及びソースイメージ復元部２３の処理の詳細については、映像信号のみを送受信する手法について記載された前記特許文献１及び前記非特許文献２（ＡＲＩＢ  ＳＴＤ−Ｂ５８）を参照されたい。
【０１０７】
（時間情報データパケット復元部２４−１）
次に、図１２に示した時間情報データパケット復元部２４−１について詳細に説明する。前述のとおり、時間情報データパケット復元部２４−１は、ベーシックストリームの補助データ領域から時間情報データパケットを抽出し、時間情報データパケットの所定領域からタイムコードを抽出する。図１２に示すように、この時間情報データパケット復元部２４−１は、時間情報データパケット抽出手段２５、タイムコード復元手段２６及びテーブル２７を備えている。
【０１０８】
図１３は、時間情報データパケット復元部２４−１の処理を示すフローチャートである。まず、時間情報データパケット復元部２４−１の時間情報データパケット抽出手段２５は、ベーシックストリーム復元部２０からベーシックストリームを入力する（ステップＳ１３０１）。
【０１０９】
時間情報データパケット抽出手段２５は、ベーシックストリームの補助データ領域から時間情報データパケットを抽出する（ステップＳ１３０２）。そして、時間情報データパケット抽出手段２５は、時間情報データパケットをタイムコード復元手段２６に出力する。
【０１１０】
具体的には、時間情報データパケット抽出手段２５は、ベーシックストリームの補助データ領域に格納されたデータに対し、連続する３ワードのデータが、図６に示したＡＤＦであり、かつ、その次の１ワードのデータにおける上位１０ビットのデータが、図７（１）に示したＤＩＤ（２６０ｈ）に合致するか否かを判定する。時間情報データパケット抽出手段２５は、前記判定処理により合致したことを判定した場合、ＡＤＦを先頭とした連続する２３ワード長のデータを時間情報データパケットとして抽出する。
【０１１１】
これにより、映像信号受信装置２−１が受信した複数の１０Ｇリンク信号（１フレームに対応する複数の１０Ｇリンク信号）のうち１番目の１０Ｇリンク信号において、１番目のベーシックストリームの補助データ領域のうちライン番号９のうちのサンプル番号１９２８〜１９５０の２３ワード長の領域に格納された時間情報データパケットが抽出される。この時間情報データパケットは、１番目の１０Ｇリンク信号における１番目のベーシックストリームの補助データ領域のみに格納されており、複数の領域から抽出する必要がない。したがって、複数のデータを組み合わせて時間情報データパケットを生成する処理が不要になり、簡易な処理で済む。
【０１１２】
タイムコード復元手段２６は、時間情報データパケット抽出手段２５から時間情報データパケットを入力し、時間情報データパケットの所定領域（ＵＤＷ１のｂ４〜ｂ７及びＵＤＷ３のｂ４，ｂ５、並びに、ＵＤＷ３のｂ７、ＵＤＷ７のｂ７及びＤＢＢ１）からビットデータを抽出する（ステップＳ１３０３）。
【０１１３】
タイムコード復元手段２６は、テーブル２７から、ステップＳ１３０３にて抽出したビットデータに対応するフレーム番号を読み出す（ステップＳ１３０４）。テーブル２７の構成は、図５（１）（２）に示したテーブル１７の構成と同様である。タイムコード復元手段２６は、フレーム周波数１２０Ｈｚの場合、図５（１）に示したテーブル１７と同じ構成のテーブル２７を用い、フレーム周波数６０Ｈｚの場合、図５（２）に示したテーブル１７と同じ構成のテーブル２７を用いる。これにより、ビットデータに対応するフレーム番号が特定される。
【０１１４】
尚、映像信号のフレーム周波数は、入力する１０Ｇリンク信号のペイロードＩＤに基づいて設定される。
【０１１５】
タイムコード復元手段２６は、時間情報データパケットの所定のＵＤＷの領域に格納されたデータを抽出し、時刻を特定する（ステップＳ１３０５）。尚、時刻は、図４のステップＳ４０４の処理により、所定のＵＤＷの領域に格納されている。
【０１１６】
タイムコード復元手段２６は、ステップＳ１３０４にて読み出したフレーム番号及びステップＳ１３０５にて特定した時刻を含むタイムコードを生成し（ステップＳ１３０６）、生成したタイムコードを出力する（ステップＳ１３０７）。これにより、タイムコードは、表示装置等に表示することができる。
【０１１７】
このように、時間情報データパケット復元部２４−１により、ベーシックストリームの補助データ領域から時間情報データパケットが抽出され、時間情報データパケットの所定領域（ＵＤＷ１のｂ４〜ｂ７及びＵＤＷ３のｂ４，ｂ５、並びに、ＵＤＷ３のｂ７、ＵＤＷ７のｂ７及びＤＢＢ１）からビットデータが抽出され、時間情報データパケットの所定領域のデータから時刻が特定され、ビットデータに対応するフレーム番号及び時刻を含むタイムコードが生成される。これにより、フレーム番号及び時刻を含むタイムコードが復元される。
【０１１８】
以上のように、実施例１の映像信号受信装置２−１によれば、時間情報データパケット復元部２４−１の時間情報データパケット抽出手段２５は、ベーシックストリームの補助データ領域から時間情報データパケットを抽出するようにした。そして、タイムコード復元手段２６は、時間情報データパケットの所定領域（ＵＤＷ１のｂ４〜ｂ７及びＵＤＷ３のｂ４，ｂ５、並びに、ＵＤＷ３のｂ７、ＵＤＷ７のｂ７及びＤＢＢ１）からビットデータを抽出し、テーブル２７から、ビットデータに対応するフレーム番号を読み出し、時間情報データパケットの所定領域のデータから時刻を特定し、フレーム番号及び時刻を含むタイムコードを復元する。
【０１１９】
これにより、映像信号のフレーム単位で遷移するタイムコードは、ベーシックストリームの補助データ領域から抽出されて復元される。つまり、ＳＨＶを含む超高精細映像を伝送するための所定のシリアルデジタルインタフェースを用いる際に、１本のシリアルデジタルインタフェースにより、映像信号だけでなく、６０Ｈｚを超える映像信号のフレーム周波数に対応したタイムコードを同時に受信して復元することができる。その結果、映像信号のフレーム単位で遷移するタイムコードを送受信することができ、放送設備同士で映像信号を送受信する場合、映像信号を記録装置に記録する場合、編集機を用いて映像を編集する場合等において、利便性が向上する。
【０１２０】
また、時間情報データパケットは、１番目の１０Ｇリンク信号における１番目のベーシックストリームにおいて、ライン構造の所定の補助データ領域から抽出される。これにより、当該１０Ｇリンク信号及び当該ベーシックストリームのみから時間情報データパケットが抽出されるから、全ての１０Ｇリンク信号または全てのベーシックストリームに対して、時間情報データパケットを抽出する処理を行う必要がない。したがって、簡易な処理で済み、当該映像信号受信装置２−１のハードウェア構成を簡略化できる。
【０１２１】
〔実施例２〕
次に、図２に示した実施例２の映像信号送信装置１−２、映像信号受信装置２−２及びタイムコード送信装置３について説明する。前述のとおり、タイムコード送信装置３は、映像信号のフレーム周波数に同期したタイムコードを生成し、タイムコードを時間情報データパケットに格納し、時間情報データパケットをＨＤ−ＳＤＩ信号に格納する。映像信号送信装置１−２は、ＨＤ−ＳＤＩ信号から時間情報データパケットを抽出し、映像信号に時間情報データパケットを格納して１０Ｇリンク信号を送信し、映像信号受信装置２−２は、１０Ｇリンク信号から時間情報データパケットを復元し、時間情報データパケットをＨＤ−ＳＤＩ信号に格納して出力する。
【０１２２】
（タイムコード送信装置３）
まず、図２に示した実施例２のタイムコード送信装置３について説明する。図１４は、タイムコード送信装置３の構成を示すブロック図である。このタイムコード送信装置３は、タイムコード生成手段３０、時間情報データパケット生成手段３１、テーブル３２及びＨＤ−ＳＤＩ信号生成手段３３を備えている。
【０１２３】
タイムコード生成手段３０、時間情報データパケット生成手段３１及びテーブル３２は、図３に示した実施例１の映像信号送信装置１−１の時間情報データパケット生成部１４−１に備えたタイムコード生成手段１５、時間情報データパケット生成手段１６及びテーブル１７とそれぞれ同じである。
【０１２４】
図１５は、タイムコード送信装置３の処理を示すフローチャートである。図１５に示すタイムコード生成手段３０によるステップＳ１５０１の処理は、図４に示したタイムコード生成手段１５によるステップＳ４０１の処理と同じである。また、図１５に示す時間情報データパケット生成手段３１によるステップＳ１５０２〜ステップＳ１５０５の処理は、図４に示した時間情報データパケット生成手段１６によるステップＳ４０２〜ステップＳ４０５の処理と同じである。ステップＳ１５０１〜ステップＳ１５０５の処理については説明を省略する。
【０１２５】
ＨＤ−ＳＤＩ信号生成手段３３は、時間情報データパケット生成手段３１から時間情報データパケットを入力し、時間情報データパケットを、ＨＤ−ＳＤＩ信号の補助データ領域（フレーム周波数１２０Ｈｚの場合、ライン番号９，２９０，５７１，８５２のうちのサンプル番号１９２８〜１９５０の２３ワード長の領域）に格納し（ステップＳ１５０６）、ＨＤ−ＳＤＩ信号を生成する（ステップＳ１５０７）。
【０１２６】
尚、ＨＤ−ＳＤＩ信号生成手段３３は、フレーム周波数６０Ｈｚの場合、時間情報データパケットを、ＨＤ−ＳＤＩ信号の補助データ領域（ライン番号９，５７１のうちのサンプル番号１９２８〜１９５０の２３ワード長の領域）に格納する。
【０１２７】
図１６は、ＨＤ−ＳＤＩ信号の構造を示す図であり、図１７は、フレーム周波数１２０Ｈｚの場合のＨＤ−ＳＤＩ信号に対する時間情報データパケットの多重位置を説明する図である。尚、ＨＤ−ＳＤＩ信号の構造は、ＡＲＩＢ規格（ＢＴＡ  Ｓ−００５）に規定されている。
【０１２８】
ＨＤ−ＳＤＩ信号は、フレーム周波数３０Ｈｚに対応した信号である。図１６に示すＨＤ−ＳＤＩ信号は、フレーム周波数６０Ｈｚの映像信号の２フレームを、１／３０秒のライン番号１〜１１２５内の所定の有効映像領域に格納される構造として示されており、サンプル番号１９２８〜２１９５の領域に補助データ領域が付加されている。
【０１２９】
図１７を参照して、フレーム周波数１２０Ｈｚの場合、１／３０秒間で４枚のフレームが伝送される。そこで、ＨＤ−ＳＤＩ信号生成手段３３は、１／３０秒間で、ＨＤ−ＳＤＩ信号の所定のライン番号（４つのライン番号）における補助データ領域に、４個の時間情報データパケットを格納する。これにより、フレーム周波数１２０Ｈｚの映像信号のフレームに対応した時間情報データパケットを、ＨＤ−ＳＤＩ信号に多重することができる。
【０１３０】
具体的には、ＨＤ−ＳＤＩ信号生成手段３３は、ＨＤ−ＳＤＩ信号をライン毎に生成するときに、ライン番号９のＨＤ−ＳＤＩ信号を生成する際に、例えばフレーム番号０に対応する時間情報データパケットを、サンプル番号１９２８〜１９５０の２３ワード長の補助データ領域に格納する。また、ＨＤ−ＳＤＩ信号生成手段３３は、ライン番号２９０のＨＤ−ＳＤＩ信号を生成する際に、フレーム番号１に対応する時間情報データパケットを、サンプル番号１９２８〜１９５０の２３ワード長の補助データ領域に格納する。同様に、ＨＤ−ＳＤＩ信号生成手段３３は、ライン番号５７１，８５２のＨＤ−ＳＤＩ信号を生成する際に、フレーム番号２，３に対応する時間情報データパケットを、サンプル番号１９２８〜１９５０の２３ワード長の補助データ領域にそれぞれ格納する。
【０１３１】
この場合、ＨＤ−ＳＤＩ信号生成手段３３が１／３０秒のタイミングでＨＤ−ＳＤＩ信号を生成する際に、時間情報データパケットを補助データ領域に格納した後のタイミングにおいて、当該時間情報データパケットに対応する映像信号のフレームが伝送される。つまり、１／３０秒のＨＤ−ＳＤＩ信号において、時間情報データパケットは、当該時間情報データパケットに対応する映像信号のフレームよりも時間的に先に伝送されるライン番号に対応した補助データ領域に格納される。
【０１３２】
ここで、タイムコードは、図１４に示したタイムコード生成手段３０により、映像信号のフレーム周波数に同期して生成されるから、時間情報データパケットも、図１４に示した時間情報データパケット生成手段３１により、映像信号のフレーム周波数に同期して生成される。このため、ＨＤ−ＳＤＩ信号生成手段３３において、伝送される映像信号のフレームと、ＨＤ−ＳＤＩ信号の補助データ領域に格納される時間情報データパケットとは、必然的に同期することになる。
【０１３３】
一方で、ライン番号１〜１１２５の１／３０秒間で４枚のフレームが伝送されるから、各フレームのタイミングは、ライン番号１０．５，２９１．７５，５７３，８５４．２５となる。つまり、これらのライン番号は、時間情報データパケットが格納されるライン番号９，２９０，５７１，８５２よりも大きい値である。
【０１３４】
したがって、ＨＤ−ＳＤＩ信号生成手段３３は、時間情報データパケットを、当該時間情報データパケットに対応する映像信号のフレームよりも時間的に先に伝送されるライン番号に対応した補助データ領域に格納することができる。
【０１３５】
図１５に戻って、ＨＤ−ＳＤＩ信号生成手段３３は、ステップＳ１５０７にて生成したＨＤ−ＳＤＩ信号を映像信号送信装置１−２へ送信する（ステップＳ１５０８）。
【０１３６】
このように、ＨＤ−ＳＤＩ信号生成手段３３により、ＨＤ-ＳＤＩ信号の補助データ領域に、映像信号のフレーム単位で遷移するタイムコードが多重される。
【０１３７】
以上のように、実施例２のタイムコード送信装置３によれば、タイムコード生成手段３０は、当該タイムコード送信装置３の内部時計を用いて、映像信号のフレーム周波数に同期した時刻及びフレーム番号を含むタイムコードを生成するようにした。そして、時間情報データパケット生成手段３１は、テーブル３２から、タイムコードのフレーム番号に対応するビットデータ（フレームラベル、ＵＤＷ３のｂ７、ＵＤＷ７のｂ７及びＤＢＢ１のビットデータ）を読み出し、これらのビットデータを、時間情報データパケットの所定領域に格納すると共に、タイムコードの時刻を所定領域に格納することで、時間情報データパケットを生成する。
【０１３８】
これにより、６０Ｈｚを超える映像信号のフレーム周波数に対応したタイムコードを含む時間情報データパケットが生成され、当該時間情報データパケットを送信することができる。
【０１３９】
また、ＨＤ−ＳＤＩ信号生成手段３３は、時間情報データパケットを、ＨＤ−ＳＤＩ信号の補助データ領域（フレーム周波数１２０Ｈｚの場合、ライン番号９，２９０，５７１，８５２のうちのサンプル番号１９２８〜１９５０の２３ワード長の領域）に格納し、ＨＤ−ＳＤＩ信号を生成するようにした。
【０１４０】
これにより、映像信号のフレーム単位で遷移するタイムコードは、ＨＤ−ＳＤＩ信号の補助データ領域に多重される。そして、タイムコード送信装置３は、時間情報データパケットを含むＨＤ-ＳＤＩ信号を、後述する映像信号送信装置１−２へ送信することで、映像信号送信装置１−２に対し、時間情報データパケットに含まれるタイムコードを、当該タイムコードに同期した映像信号のベーシックストリームに多重させることができる。
【０１４１】
つまり、後述する映像信号送信装置１−２がＳＨＶを含む超高精細映像を伝送するための所定のシリアルデジタルインタフェースを用いる際に、後述する映像信号送信装置１−２に対し、１本のシリアルデジタルインタフェースにより、映像信号だけでなく、６０Ｈｚを超える映像信号のフレーム周波数に対応したタイムコードを同時に送信させることができる。その結果、映像信号のフレーム単位で遷移するタイムコードを送受信することができ、放送設備同士で映像信号を送受信する場合、映像信号を記録装置に記録する場合、編集機を用いて映像を編集する場合等において、利便性が向上する。
【０１４２】
（映像信号送信装置１−２）
次に、図２に示した実施例２の映像信号送信装置１−２について説明する。図１８は、映像信号送信装置１−２の構成を示すブロック図である。この映像信号送信装置１−２は、サブイメージ生成部１０、ベーシックイメージ生成部１１、ベーシックストリーム生成部１２、リンク信号生成部１３及び時間情報データパケット生成部１４−２を備えている。
【０１４３】
図３に示した実施例１の映像信号送信装置１−１と図１８に示す実施例２の映像信号送信装置１−２とを比較すると、両映像信号送信装置１−１，１−２は、サブイメージ生成部１０、ベーシックイメージ生成部１１、ベーシックストリーム生成部１２及びリンク信号生成部１３を備えている点で同一であるが、映像信号送信装置１−２は、映像信号送信装置１−１の時間情報データパケット生成部１４−１とは異なる時間情報データパケット生成部１４−２を備えている点で相違する。
【０１４４】
図１８において、図３と共通する部分には図３と同一の符号を付し、その詳しい説明は省略する。
【０１４５】
（時間情報データパケット生成部１４−２）
次に、図１８に示した時間情報データパケット生成部１４−２について詳細に説明する。時間情報データパケット生成部１４−２は、タイムコード送信装置３からＨＤ−ＳＤＩ信号を受信し、ＨＤ−ＳＤＩ信号から時間情報データパケットを抽出し、時間情報データパケットの１ワードあたりのビット長を１０ビットから１２ビットに変換する。そして、時間情報データパケット生成部１４−２は、１２ビット長を単位とした時間情報データパケットをベーシックストリーム生成部１２に出力する。この時間情報データパケット生成部１４−２は、時間情報データパケット抽出手段１８及び１０／１２ビット変換手段１９を備えている。
【０１４６】
図１９は、時間情報データパケット生成部１４−２の処理を示すフローチャートである。まず、時間情報データパケット生成部１４−２の時間情報データパケット抽出手段１８は、タイムコード送信装置３からＨＤ−ＳＤＩ信号を受信し（ステップＳ１９０１）、ＨＤ−ＳＤＩ信号の補助領域から時間情報データパケットを抽出する（ステップＳ１９０２）。そして、時間情報データパケット抽出手段１８は、抽出した時間情報データパケットを１０／１２ビット変換手段１９に出力する。
【０１４７】
具体的には、時間情報データパケット抽出手段１８は、ＨＤ−ＳＤＩ信号の補助データ領域に格納されたデータに対し、連続する３ワードのデータが、図６に示したＡＤＦであり、かつ、その次の１ワードのデータにおける上位１０ビットのデータが、図７（１）に示したＤＩＤ（２６０ｈ）に合致するか否かを判定する。時間情報データパケット抽出手段１８は、前記判定処理により合致したことを判定した場合、ＡＤＦを先頭とした連続する２３ワード長のデータを時間情報データパケットとして抽出する。
【０１４８】
これにより、映像信号送信装置１−２が入力したＨＤ−ＳＤＩ信号のうちライン番号９，２９０，５７１，８５２のうちのサンプル番号１９２８〜１９５０の２３ワード長の補助データ領域に格納された時間情報データパケットが抽出される。
【０１４９】
１０／１２ビット変換手段１９は、時間情報データパケット抽出手段１８から時間情報データパケットを入力し、時間情報データパケットにおける１ワードあたりのビット長を、１０ビットから１２ビットに変換する（ステップＳ１９０３）。具体的には、１０／１２ビット変換手段１９は、図６に示したとおり、時間情報データパケットの１ワードにつき２ビットを付加し、１ワードあたりのビット長を１０ビットから１２ビットに拡張することで、１２ビット長を単位とした時間情報データパケットを生成する。そして、１０／１２ビット変換手段１９は、１２ビット長を単位とした時間情報データパケットをベーシックストリーム生成部１２に出力する（ステップＳ１９０４）。
【０１５０】
このように、時間情報データパケット生成部１４−２により、ＨＤ−ＳＤＩ信号から、映像信号のフレーム周波数に同期したタイムコード（時刻及びフレーム番号）を含む時間情報データパケットが抽出され、時間情報データパケットのビット長が変換され、１２ビット長を単位とした時間情報データパケットが生成される。
【０１５１】
以上のように、実施例２の映像信号送信装置１−２によれば、時間情報データパケット生成部１４−２の時間情報データパケット抽出手段１８は、タイムコード送信装置３により生成されたＨＤ−ＳＤＩ信号の補助データ領域（ライン番号９，２９０，５７１，８５２のうちのサンプル番号１９２８〜１９５０の２３ワード長の補助データ領域）から、時間情報データパケットを抽出するようにした。そして、１０／１２ビット変換手段１９は、時間情報データパケットにおける１ワードあたりのビット長を１０ビットから１２ビットに変換する。
【０１５２】
ベーシックストリーム生成部１２は、実施例１と同様に、１番目の１０Ｇリンク信号における１番目のベーシックストリームを作成する際に、時間情報データパケットを、ベーシックストリームのライン構造の補助データ領域（ライン番号９のうちのサンプル番号１９２８〜１９５０の２３ワード長の領域）に格納するようにした。
【０１５３】
これにより、実施例１と同様の効果を奏する。また、１０／１２ビット変換手段１９により、１０ビット／ワードで規定されるＨＤＴＶ用のＨＤ−ＳＤＩ信号のインタフェースに適用する時間情報データパケットは、図６に示した補助データパケットとの互換性を保つように、１２ビット／ワードで規定されるＵＨＤＴＶ用のインタフェースに適用する時間情報データパケットに変換される。したがって、６０Ｈｚを超える映像信号のフレーム周波数に対応したタイムコードとして、映像信号に多重することができる。
【０１５４】
すなわち、ＳＨＶを含む超高精細映像を伝送するための所定のシリアルデジタルインタフェースを用いる際に、１本のシリアルデジタルインタフェースにより、映像信号だけでなく、６０Ｈｚを超える映像信号のフレーム周波数に対応したタイムコードを同時に送信することができる。また、実施例１と同様に、１０Ｇリンク信号を受信する後述する映像信号受信装置２−２のハードウェア構成を簡略化できる。
【０１５５】
（映像信号受信装置２−２）
次に、図２に示した実施例２の映像信号受信装置２−２について詳細に説明する。図２０は、映像信号受信装置２−２の構成を示すブロック図である。この映像信号受信装置２−２は、ベーシックストリーム復元部２０、ベーシックイメージ復元部２１、サブイメージ復元部２２、ソースイメージ復元部２３及び時間情報データパケット復元部２４−２を備えている。
【０１５６】
図１２に示した実施例１の映像信号受信装置２−１と図２０に示す実施例２の映像信号受信装置２−２とを比較すると、両映像信号受信装置２−１，２−２は、ベーシックストリーム復元部２０、ベーシックイメージ復元部２１、サブイメージ復元部２２及びソースイメージ復元部２３を備えている点で同一であるが、映像信号受信装置２−２は、映像信号受信装置２−１の時間情報データパケット復元部２４−１とは異なる時間情報データパケット復元部２４−２を備えている点で相違する。
【０１５７】
図２０において、図１２と共通する部分には図１２と同一の符号を付し、その詳しい説明は省略する。
【０１５８】
（時間情報データパケット復元部２４−２）
次に、図２０に示した時間情報データパケット復元部２４−２について詳細に説明する。時間情報データパケット復元部２４−２は、ベーシックストリーム復元部２０により復元されたベーシックストリームを入力し、ベーシックストリームの補助データ領域から時間情報データパケットを抽出し、時間情報データパケットにおける１ワードあたりのビット長を１２ビットから１０ビットに変換し、ＨＤ−ＳＤＩ信号を生成する。この時間情報データパケット復元部２４−２は、時間情報データパケット抽出手段２５、１２／１０ビット変換手段２８及びＨＤ−ＳＤＩ信号生成手段２９を備えている。
【０１５９】
図２１は、時間情報データパケット復元部２４−２の処理を示すフローチャートである。まず、時間情報データパケット復元部２４−２の時間情報データパケット抽出手段２５は、図１３のステップＳ１３０１と同様に、ベーシックストリーム復元部２０からベーシックストリームを入力する（ステップＳ２１０１）。そして、時間情報データパケット抽出手段２５は、図１３のステップＳ１３０２と同様に、ベーシックストリームの補助データ領域から時間情報データパケットを抽出する（ステップＳ２１０２）。時間情報データパケット抽出手段２５は、時間情報データパケットを１２／１０ビット変換手段２８に出力する。
【０１６０】
１２／１０ビット変換手段２８は、時間情報データパケット抽出手段２５から時間情報データパケットを入力し、時間情報データパケットにおける１ワードあたりのビット長を、１２ビットから１０ビットに変換する（ステップＳ２１０３）。具体的には、１２／１０ビット変換手段２８は、図６に示したとおり、時間情報データパケットの１ワードにつき２ビットを削除し、１ワードあたりのビット長を１２ビットから１０ビットに縮小することで、１０ビット長を単位とした時間情報データパケットを生成する。そして、１２／１０ビット変換手段２８は、１０ビット長を単位とした時間情報データパケットをＨＤ−ＳＤＩ信号生成手段２９に出力する。
【０１６１】
ＨＤ−ＳＤＩ信号生成手段２９は、１２／１０ビット変換手段２８から時間情報データパケットを入力し、図１４に示したＨＤ−ＳＤＩ信号生成手段３３と同様の処理（図１５のステップＳ１５０６及びステップＳ１５０７の処理）を行う。すなわち、ＨＤ−ＳＤＩ信号生成手段２９は、時間情報データパケットを、ＨＤ−ＳＤＩ信号の補助データ領域（フレーム周波数１２０Ｈｚの場合、ライン番号９，２９０，５７１，８５２のうちのサンプル番号１９２８〜１９５０の２３ワード長の領域）に格納し（ステップＳ２１０４）、ＨＤ−ＳＤＩ信号を生成する（ステップＳ２１０５）。そして、ＨＤ−ＳＤＩ信号生成手段２９は、生成したＨＤ−ＳＤＩ信号を外部の表示装置等へ送信する（ステップＳ２１０６）。
【０１６２】
この場合、ＨＤ−ＳＤＩ信号生成手段２９は、図１４に示したＨＤ−ＳＤＩ信号生成手段３３と同様に、時間情報データパケットを、当該時間情報データパケットに対応する映像信号のフレームよりも早い時間のライン番号に対応した補助データ領域に格納することができる。つまり、映像信号のフレームに同期したＨＤ−ＳＤＩ信号が生成され、送信される。
【０１６３】
このように、時間情報データパケット復元部２４−２により、映像信号のベーシックストリームから時間情報データパケットが復元され、ＨＤ-ＳＤＩ信号の補助データ領域に、映像信号のフレーム単位で遷移するタイムコードが多重される。
【０１６４】
以上のように、実施例２の映像信号受信装置２−２によれば、時間情報データパケット復元部２４−２の時間情報データパケット抽出手段２５は、ベーシックストリームの補助データ領域から時間情報データパケットを抽出するようにした。そして、１２／１０ビット変換手段２８は、時間情報データパケットにおける１ワードあたりのビット長を１０ビットに変換し、ＨＤ−ＳＤＩ信号生成手段２９は、時間情報データパケットを、ＨＤ−ＳＤＩ信号の補助データ領域に格納し、ＨＤ−ＳＤＩ信号を生成するようにした。
【０１６５】
これにより、実施例１と同様の効果を奏する。また、１２／１０ビット変換手段２８により、１２ビット／ワードで規定されるＵＨＤＴＶ用のインタフェースに適用する時間情報データパケットは、図６に示した補助データパケットとの互換性を保つように、１０ビット／ワードで規定されるＨＤＴＶ用のＨＤ−ＳＤＩ信号のインタフェースに適用する時間情報データパケットに変換される。したがって、ＨＤ−ＳＤＩ信号を用いてタイムコードを送信し、画面表示することができる。
【０１６６】
すなわち、ＳＨＶを含む超高精細映像を伝送するための所定のシリアルデジタルインタフェースを用いる際に、１本のシリアルデジタルインタフェースにより、映像信号だけでなく、６０Ｈｚを超える映像信号のフレーム周波数に対応したタイムコードを同時に受信することができる。また、実施例１と同様に、当該映像信号受信装置２−２のハードウェア構成を簡略化できる。
【０１６７】
以上、実施例１，２を挙げて本発明を説明したが、本発明は前記実施例１，２に限定されるものではなく、その技術思想を逸脱しない範囲で種々変形可能である。例えば、前記実施例１，２では、映像信号送信装置１−１，１−２のベーシックストリーム生成部１２は、１番目の１０Ｇリンク信号における１番目のベーシックストリームを作成する際に、時間情報データパケットを、当該ベーシックストリームのライン構造におけるライン番号９のうちのサンプル番号１９２８〜１９５０の２３ワード長の補助データ領域に格納するようにした。本発明は、時間情報データパケットを格納するベーシックストリームの補助データ領域を、ライン番号９のうちのサンプル番号１９２８〜１９５０の領域に限定するものではなく、ライン番号１〜４１のうちのサンプル番号１９２８〜２１９５の領域（図１０の斜線の領域）のうち、２３ワード長の領域であればどこでもよい。要するに、ベーシックストリーム生成部１２は、時間情報データパケットを、ベーシックイメージから取り出した画素のラインデータを格納する有効映像領域よりも早い時間のライン番号に対応した補助データ領域に格納すればよい。
【０１６８】
また、ベーシックストリーム生成部１２は、時間情報データパケットを、１フレームの映像信号に対応する複数の１０Ｇリンク信号のうち１番目の１０Ｇリンク信号であって、当該１０Ｇリンク信号を構成する複数のベーシックストリームのうち１番目のベーシックストリームに格納するようにした。本発明は、時間情報データパケットの格納先を、１番目の１０Ｇリンク信号に限定するものではなく、２番目以降の１０Ｇリンク信号の任意のベーシックストリームに格納するようにしてもよい。この場合、時間情報データパケットの格納先を特定したうえで、映像信号送信装置１−１，１−２及び映像信号受信装置２−１，２−２を設計することにより、ハードウェア構成を簡素化することができる。
【０１６９】
また、前記実施例２では、タイムコード送信装置３のＨＤ−ＳＤＩ信号生成手段３３は、時間情報データパケットを、ＨＤ−ＳＤＩ信号におけるライン番号９，２９０，５７１，８５２のうちのサンプル番号１９２８〜１９５０の２３ワード長の補助データ領域に格納するようにした。本発明は、時間情報データパケットを格納するＨＤ−ＳＤＩ信号の補助データ領域を、ライン番号９，２９０，５７１，８５２のうちのサンプル番号１９２８〜１９５０の領域に限定するものではなく、ライン番号９，２９０，５７１，８５２におけるサンプル番号１９２８〜２１９５の領域のうち、２３ワード長の領域であればどこでもよい。また、本発明では、時間情報データパケットを、ライン番号９，２９０，５７１，８５２よりも早い番号の補助データ領域に格納すればよい。要するに、ＨＤ−ＳＤＩ信号生成手段３３は、時間情報データパケットを、当該時間情報データパケットに対応する映像信号のフレームよりも早い時間のライン番号に対応した補助データ領域に格納すればよい。
【０１７０】
また、前記実施例１では、映像信号送信装置１−１の時間情報データパケット生成部１４−１に備えた時間情報データパケット生成手段１６は、テーブル１７から、フレーム番号に対応するフレームラベル、ＵＤＷ３のｂ７、ＵＤＷ７のｂ７及びＤＢＢ１のビットデータを読み出すようにした。これに対し、時間情報データパケット生成手段１６は、予め設定された数式を用いて、フレーム番号をパラメータとして、フレームラベル、ＵＤＷ３のｂ７、ＵＤＷ７のｂ７及びＤＢＢ１のビットデータを算出するようにしてもよい。実施例２におけるタイムコード送信装置３の時間情報データパケット生成手段３１についても同様である。
【０１７１】
また、前記実施例１では、映像信号受信装置２−１の時間情報データパケット復元部２４−１に備えたタイムコード復元手段２６は、テーブル２７から、フレームラベル（ＵＤＷ１のｂ４〜ｂ７及びＵＤＷ３のｂ４，ｂ５）、ＵＤＷ３のｂ７、ＵＤＷ７のｂ７及びＤＢＢ１のビットデータに対応するフレーム番号を読み出すようにした。これに対し、タイムコード復元手段２６は、予め設定された数式を用いて、フレームラベル、ＵＤＷ３のｂ７、ＵＤＷ７のｂ７及びＤＢＢ１のビットデータをパラメータとして、フレーム番号を算出するようにしてもよい。
【０１７２】
また、前記実施例２では、タイムコード送信装置３は、時間情報データパケットをＨＤ−ＳＤＩ信号に格納し、時間情報データパケットを含むＨＤ−ＳＤＩ信号を映像信号送信装置１−２へ送信するようにした。これに加え、タイムコード送信装置３は、時間情報データパケットを含むＨＤ−ＳＤＩ信号を、タイムコードを表示する表示装置へ送信するようにしてもよい。
【０１７３】
また、前記実施例２の映像信号送受信システムは、図２に示したように、映像信号送信装置１−２、映像信号受信装置２−２及びタイムコード送信装置３を備えて構成される。実施例２の変形例として、さらに、映像信号受信装置２−２からＨＤ−ＳＤＩ信号を受信するタイムコード受信装置５を備えるようにしてもよい。この場合、映像信号受信装置２−２及びタイムコード受信装置５により映像信号受信システムが構成される。
【０１７４】
図２２は、ＨＤ−ＳＤＩ信号を受信するタイムコード受信装置５の構成を示すブロック図である。このタイムコード受信装置５は、図１２に示した時間情報データパケット復元部２４−１の構成と同じように、時間情報データパケット抽出手段３４、タイムコード復元手段３５及びテーブル３６を備える。時間情報データパケット抽出手段３４は、図１２に示した時間情報データパケット抽出手段２５において、ベーシックストリームを入力する代わりに、映像信号受信装置２−２からＨＤ−ＳＤＩ信号を受信する。そして、時間情報データパケット抽出手段３４は、時間情報データパケット抽出手段２５と同様に、ＨＤ−ＳＤＩ信号の補助データ領域から時間情報データパケットを抽出する。
【０１７５】
タイムコード復元手段３５は、図１２に示したタイムコード復元手段２６と同様に、時間情報データパケットの所定領域からビットデータを抽出し、テーブル３６から、ビットデータに対応するフレーム番号を読み出す。そして、タイムコード復元手段３５は、時間情報データパケットの所定のＵＤＷの領域に格納されたデータを抽出して時刻を特定し、フレーム番号及び時刻を含むタイムコードを生成して出力する。テーブル３６の構成は、図１２に示したテーブル２７と同様に、図５（１）（２）に示したテーブル１７の構成と同じである。
【０１７６】
また、前記実施例１，２では、映像信号のフレーム周波数が１２０Ｈｚの例を挙げて、フレーム周波数６０Ｈｚを１２０Ｈｚに拡張する場合について説明した。一般に、映像信号のフレーム周波数を６０Ｈｚと表記する場合、６０Ｈｚまたは６０／１．００１Ｈｚのどちらかが用いられる。また、映像信号のフレーム周波数を１２０Ｈｚと表記する場合、１２０Ｈｚまたは１２０／１．００１Ｈｚのどちらかが用いられる。したがって、前記実施例１，２は、フレーム周波数６０／１．００１Ｈｚを１２０／１．００１Ｈｚに拡張する場合についても適用がある。つまり、本発明は、ＳＨＶを含む超高精細映像を伝送するためのシリアルデジタルインタフェースが規定された前記非特許文献２（ＡＲＩＢ  ＳＴＤ−Ｂ５８）の方式において、フレーム周波数６０Ｈｚ（または６０／１．００１Ｈｚ）及び当該フレーム周波数６０Ｈｚ（または６０／１．００１Ｈｚ）を超える映像信号のフレーム周波数に対応したタイムコードを伝送する場合に適用がある。
【符号の説明】
【０１７７】
１−１，１−２  映像信号送信装置（タイムコード多重装置）
２−１，２−２  映像信号受信装置（タイムコード分離装置）
３  タイムコード送信装置
４  映像信号送信システム
５  タイムコード受信装置
１０  サブイメージ生成部
１１  ベーシックイメージ生成部
１２  ベーシックストリーム生成部
１３  リンク信号生成部
１４−１，１４−２  時間情報データパケット生成部
１５，３０  タイムコード生成手段
１６，３１  時間情報データパケット生成手段
１７，２７，３２，３６  テーブル
１８，２５，３４  時間情報データパケット抽出手段
１９  １０／１２ビット変換手段
２０  ベーシックストリーム復元部
２１  ベーシックイメージ復元部
２２  サブイメージ復元部
２３  ソースイメージ復元部
２４−１，２４−２  時間情報データパケット復元部
２６，３５  タイムコード復元手段
２８  １２／１０ビット変換手段
２９，３３  ＨＤ−ＳＤＩ信号生成手段
【図１】
0006454160.tif 000002
【図２】
0006454160.tif 000003
【図３】
0006454160.tif 000004
【図４】
0006454160.tif 000005
【図５】
0006454160.tif 000006
【図６】
0006454160.tif 000007
【図７】
0006454160.tif 000008
【図８】
0006454160.tif 000009
【図９】
0006454160.tif 000010
【図１０】
0006454160.tif 000011
【図１１】
0006454160.tif 000012
【図１２】
0006454160.tif 000013
【図１３】
0006454160.tif 000014
【図１４】
0006454160.tif 000015
【図１５】
0006454160.tif 000016
【図１６】
0006454160.tif 000017
【図１７】
0006454160.tif 000018
【図１８】
0006454160.tif 000019
【図１９】
0006454160.tif 000020
【図２０】
0006454160.tif 000021
【図２１】
0006454160.tif 000022
【図２２】
0006454160.tif 000023